(57)【要約】  いくつかの実施形態は、ゴルフクラブヘッドを含む。ゴルフクラブヘッドは、第１の降伏強度を有する第１の材料を有するフェース部と、第２の降伏強度を有する第２の材料を有する支持本体とを含む。第１の降伏強度は、約９１０メガパスカル以上であり、支持本体は、フェース部に結合されるように構成され、第２の降伏強度と第１の降伏強度の降伏強度比が、約０．５０以上である。関連するクラブヘッドおよび方法の他の実施形態も開示される。
2016536068.tif 000002
【特許請求の範囲】
【請求項１】
約９１０メガパスカル以上の第１の降伏強度を有する第１の材料を備えるフェース部と、
第２の降伏強度を有する第２の材料を備え、前記フェース部に結合されるように構成される支持本体と、を備え、
前記第２の降伏強度と前記第１の降伏強度の降伏強度比が、約０．５０以上である、ゴルフクラブヘッド。
【請求項２】
前記降伏強度比が、約０．６３以上である、請求項１に記載のゴルフクラブヘッド。
【請求項３】
前記第１の降伏強度が、約１３７８メガパスカル以上である、請求項１または２に記載のゴルフクラブヘッド。
【請求項４】
前記第１の降伏強度が、約１６５５メガパスカル以上である、請求項１から３のいずれか一項に記載のゴルフクラブヘッド。
【請求項５】
前記第１の降伏強度が、約１７２０メガパスカル以上である、請求項１から４のいずれか一項に記載のゴルフクラブヘッド。
【請求項６】
前記フェース部が、基本的に前記第１の材料で構成される、請求項１から５のいずれか一項に記載のゴルフクラブヘッド。
【請求項７】
フェース、クラウン、およびソールを備える、請求項１から６のいずれか一項に記載のゴルフクラブヘッド。
【請求項８】
前記支持本体は、クラウン支持本体を備え、
前記クラウンは、前記クラウン支持本体を備え、
前記クラウン支持本体は、基本的に前記第２の材料で構成される、請求項７に記載のゴルフクラブヘッド。
【請求項９】
前記支持本体は、ソール支持本体を備え、
前記ソールは、前記ソール支持本体を備え、
前記ソール支持本体は、基本的に前記第２の材料で構成される、請求項７または８に記載のゴルフクラブヘッド。
【請求項１０】
前記フェース部は、クラウンフェース部を備え、
前記クラウンは、前記クラウンフェース部を備える、請求項７から９のいずれか一項に記載のゴルフクラブヘッド。
【請求項１１】
前記フェース部は、ソールフェース部を備え、
前記ソールは、前記ソールフェース部を備える、請求項７から１０のいずれか一項に記載のゴルフクラブヘッド。
【請求項１２】
前記フェース部は、フェースインサートを備え、
前記フェースは、前記フェースインサートを備え、
前記フェースインサートは、フェースインサート前面、前記フェースインサート前面とは反対側のフェースインサート後面、およびフェースインサート周縁部を備える、請求項７から９のいずれか一項に記載のゴルフクラブヘッド。
【請求項１３】
前記第１の材料が、鉄もしくはチタンの一方を含むこと、及び
前記第２の材料が、鉄もしくはチタンの一方を含むこと、のうちの少なくとも一方である、請求項１から１２のいずれか一項に記載のゴルフクラブヘッド。
【請求項１４】
前記フェース部が、フェース中心を備えること、および
前記フェース部の前記フェース中心における厚さが、約０．２５４０センチメートル以下であること、のうちの少なくとも一方である、請求項１から１３のいずれか一項に記載のゴルフクラブヘッド。
【請求項１５】
前記フェース部の前記フェース中心における前記厚さが、約０．１９０５センチメートル以下である、請求項１４に記載のゴルフクラブヘッド。
【請求項１６】
ウッドタイプゴルフクラブヘッドを含む、請求項１から１５のいずれか一項に記載のゴルフクラブヘッド。
【請求項１７】
ゴルフクラブヘッドを製造する方法であって、
約１３７８メガパスカル以上の第１の降伏強度を有する第１の材料を備えるフェース部を準備する工程と、
第２の降伏強度を有する第２の材料を備え、前記フェース部に結合されるように構成される支持本体を準備する工程と、
前記フェース部を前記支持本体に結合させる工程と、を含み、
前記第２の降伏強度と前記第１の降伏強度の降伏強度比が、約０．５０以上である、方法。
【請求項１８】
前記降伏強度比が、約０．６３以上であること、および
前記第１の降伏強度が、約１７２０メガパスカル以上であること、のうちの少なくとも一方である、請求項１７に記載の方法。
【請求項１９】
前記フェース部を前記支持本体に結合させる工程は、前記フェース部を前記支持本体に溶接する工程を含む、請求項１７または１８に記載の方法。
【請求項２０】
前記フェース部を準備する工程は、楕円形状のフェースインサート周縁部を有するフェースインサートを準備する工程を含む、請求項１７または１８に記載の方法。
【請求項２１】
前記フェース部を前記支持本体に結合させる工程は、前記フェースインサートを前記支持本体に結合させる工程を含む、請求項２０に記載の方法。
【請求項２２】
約１３７８メガパスカル以上の第１の降伏強度を有する第１の材料を備えるフェース部と、
第２の降伏強度を有する第２の材料を備え、前記フェース部に結合された支持本体と、を備え、
前記第２の降伏強度と前記第１の降伏強度の降伏強度比が、約０．５０以上であり、
前記支持本体が支持シェルを備え、
ウッドタイプゴルフクラブヘッドを含む、ゴルフクラブヘッド。
【請求項２３】
前記降伏強度比が、約０．６３以上であること、および
前記第１の降伏強度が、約１７２０メガパスカル以上であること、のうちの少なくとも一方である、請求項２２に記載の方法。
【請求項２４】
前記フェース部は、基本的に前記第１の材料で構成されており、
前記第１の材料は、鉄またはチタンの一方を含み、
前記ゴルフクラブヘッドが、フェース、クラウン、およびソールを備え、
前記支持本体は、クラウン支持本体を備え、
前記クラウンは、前記クラウン支持本体を備え、
前記支持本体は、ソール支持本体を備え、
前記ソールは、前記ソール支持本体を備え、
前記クラウン支持本体は、基本的に前記第２の材料で構成されており、
前記第２の材料は、鉄またはチタンの一方を含み、
前記フェース部は、フェース中心を備え、
前記フェース部の前記フェース中心での厚さが、約０．２５４０センチメートル以下である、請求項２２または２３に記載のゴルフクラブヘッド。
【発明の詳細な説明】
【技術分野】
【０００１】
関連出願の相互参照
本出願は、２０１３年１１月５日に出願された米国非仮特許出願第１４／０７２，１９０号の継続出願である。米国非仮特許出願第１４／０７２，１９０号は、その全体において参照により本明細書に組み込まれている。
【０００２】
本開示は、概して運動器具、詳細にはクラブヘッドおよび関連する方法に関する。
【背景技術】
【０００３】
ゴルフクラブのさまざまな特性が、ゴルフクラブの性能に影響を及ぼし得る。例えば、ゴルフクラブのクラブヘッドの重心、慣性モーメント、および反発係数はそれぞれ、性能に影響を及ぼし得るゴルフクラブの特性である。
【０００４】
ゴルフクラブのクラブヘッドの重心および慣性モーメントは、クラブヘッドの質量分布の関数である。具体的には、クラブヘッドの質量を、クラブヘッドのソールのより近くに、クラブヘッドのフェースからより遠くに、かつ／またはクラブヘッドのトゥ端部およびヒール端部のより近くになるように分布させると、クラブヘッドの重心および／または慣性モーメントを変化させることができる。例えば、クラブヘッドの質量を、クラブヘッドのソールのより近くに、かつ／またはクラブヘッドのフェースからより遠くになるように分布させると、クラブヘッドで打撃したゴルフボールの飛行角度を増大させることができる。一方、ゴルフボールの飛行角度を増大させると、ゴルフボールが移動する距離を増大させることができる。さらに、クラブヘッドの質量を、クラブヘッドのトゥ端部および／またはヒール端部のより近くになるように分布させると、クラブヘッドの慣性モーメントに影響を及ぼすことができ、それにより、ゴルフクラブの寛容性を変化させることができる。
【０００５】
さらに、ゴルフクラブのクラブヘッドの反発係数は、少なくとも、クラブヘッドのフェースの可撓性の関数となり得る。一方、クラブヘッドのフェースの可撓性は、フェースの幾何形状（例えば高さ、幅、および／もしくは厚さ）、ならびに／またはフェースの材料特性（例えばヤング率）の関数となり得る。すなわち、フェースの高さおよび／もしくは幅を最大にし、かつ／またはフェースの厚さおよび／もしくはヤング率を最小限に抑えると、フェースの可撓性が増大し、それにより、クラブヘッドの反発係数を増大させることができ、また、本質的にクラブヘッドからゴルフボールへのエネルギー伝達の効率の尺度となる、ゴルフクラブのクラブヘッドの反発係数を増大させると、インパクト後にゴルフボールが移動する距離を増大させることができる。
【発明の概要】
【０００６】
実施形態のさらなる説明を容易にするために、以下の図面が提供される。
【図面の簡単な説明】
【０００７】
【図１】一実施形態による、クラブヘッドの正面、上面、ヒール側面図である。
【０００８】
【図２】図１の実施形態による、図１のクラブヘッドのフェースインサートの周縁がクラブヘッドのフェース支持本体の周縁から分離されたときのクラブヘッドを示す図である。
【０００９】
【図３】図１の実施形態による、図１のクラブヘッドの正面図である。
【００１０】
【図４】図１の実施形態による、図１のクラブヘッドのトゥ側面図である。
【００１１】
【図５】図１の実施形態による、図１のクラブヘッドの正面、底面、ヒール側面図である。
【００１２】
【図６】ゴルフクラブヘッドを製造する方法の一実施形態のフローチャートである。
【００１３】
【図７】図６の実施形態による、フェース部を提供する例示的作業を示す図である。
【００１４】
【図８】図６の実施形態による、支持本体を提供する例示的作業を示す図である。
【発明を実施するための形態】
【００１５】
図示を簡単に、わかりやすくするために、図面は、一般的な製作方式を示し、よく知られている特徴および技術の説明および詳細は、本発明を不必要にわかりにくくしないよう省かれ得る。それに加えて、図面中の要素は、必ずしも縮尺通り描かれていない。例えば、図中のそれらの要素のうちのいくつかの寸法は、本発明の実施形態の理解を高めるため他の要素に比べて誇張されている場合がある。異なる図中の同じ参照番号は、同じ要素を表す。
【００１６】
説明および請求項中の「第１の」、「第２の」、「第３の」、「第４の」、および同様の語は、類似の要素を区別するために使用され、必ずしも特定の順次的または時間的順序を記述するために使用されない。このように使用される語は、本明細書で説明されている実施形態が、例えば、本明細書で例示されているか、または他の何らかの方法で説明されているのとは別の順序での操作が可能であるように、適切な状況の下で交換可能であることは理解されるであろう。さらに、「含む」、「有する」という語、およびこれらの変形の語は、非排他的な包含を対象とすることを意図しており、それにより、一連の要素を含むプロセス、方法、システム、物品、デバイス、または装置は、必ずしもそれらの要素に限定されず、そのようなプロセス、方法、システム、物品、デバイス、または装置に関して明示的に列挙されているか、またはそれらに固有の他の要素を含み得る。
【００１７】
説明および請求項中の「左」、「右」、「前」、「後」、「頂部」、「底部」、「上の」、「下の」、および同様の語は、記述を目的として使用され、必ずしも永久的な相対的位置を記述するために使用されない。こうして使用される語は、本明細書で説明されている装置、方法、および／または物品の実施形態が、例えば、本明細書で例示されているか、または他の何らかの方法で説明されているのとは別の向きの操作が可能であるように、適切な状況の下で交換可能であることは理解されるであろう。
【００１８】
「結合する」、「結合される」、「結合」、「結合すること」、および同様の語は、広い意味で理解されるべきであり、２つまたはそれ以上の要素を機械的におよび／または他の何らか方法で接続することを指す。結合することは、任意の長さの時間の間、例えば、永久的または半永久的またはほんの短い間のみであるものとしてよい。
【００１９】
「機械的結合」などは、広義に理解されるべきであり、あらゆるタイプの機械的結合を含む。
【００２０】
「取り外し可能に」、「取り外し可能」などの語が、「結合された」などの語の近くにない場合、これは、当該の結合などが、取り外し可能であるか取り外し可能でないかを意味するものではない。
【００２１】
本明細書で使用される多くの例では、「ａｐｐｒｏｘｉｍａｔｅｌｙ（ほぼ、約）」という用語は、１つもしくは複数の値、値の範囲、関係（例えば位置、向きなど）、もしくはパラメータ（例えば速度、加速度、質量、温度、回転速度、回転方向など）をそれぞれ、１つもしくは複数の他の値、値の範囲、もしくはパラメータと比べるときに、かつ／または例えば時間に対して一定のままでいる状態など、（例えば時間に対する）状態について説明するときに、使用されることがある。これらの例では、「ａｐｐｒｏｘｉｍａｔｅｌｙ（ほぼ、約）」という語の使用は、適用可能な場合、値、値の範囲、関係、パラメータ、または状態が、関連する値、値の範囲、関係、パラメータ、または状態の±０．５％、±１．０％、±２．０％、±３．０％、±５．０％、および／または±１０．０％以内であることを意味し得る。
【００２２】
いくつかの実施形態は、ゴルフクラブヘッドを含む。ゴルフクラブヘッドは、フェース部と、支持本体と、を備えることができる。フェース部は第１の材料を備え、支持本体は第２の材料を備えることができる。さらに、第１の材料は、第１の材料の降伏強度を有し、第２の材料は、第２の材料の降伏強度を有することができる。第２の材料の降伏強度と第１の材料の降伏強度の降伏強度比は、約０．５０以上であり得る。同様に、第１の材料の降伏強度が、約１３７８メガパスカル以上であり得る。
【００２３】
他の実施形態は、ゴルフクラブヘッドを製造する方法を含む。この方法は、フェース部を準備する工程と、支持本体を準備する工程と、フェース部を支持本体に結合させる工程と、を備えることができる。フェース部は第１の材料を備え、支持本体は第２の材料を備えることができる。さらに、第１の材料は、第１の材料の降伏強度を有し、第２の材料は、第２の材料の降伏強度を有することができる。第２の材料の降伏強度と第１の材料の降伏強度の降伏強度比は、約０．５０以上であり得る。同様に、第１の材料の降伏強度が、約１３７８メガパスカル以上であり得る。
【００２４】
さらなる実施形態は、ゴルフクラブヘッドを含む。ゴルフクラブヘッドは、フェース部と、支持本体と、を備えることができる。フェース部は第１の材料を備え、支持本体は第２の材料を備えることができる。さらに、第１の材料は、第１の材料の降伏強度を有し、第２の材料は、第２の材料の降伏強度を有することができる。第２の材料の降伏強度と第１の材料の降伏強度の降伏強度比は、約０．５０以上であり得る。同様に、第１の材料の降伏強度が、約１３７８メガパスカル以上であり得る。一方、フェース部は、支持本体に結合され得、支持本体が支持シェルを備えることができ、ゴルフクラブヘッドがウッドタイプゴルフクラブヘッドを含み得る。
【００２５】
図面に移ると、図１は、一実施形態による、クラブヘッド１００の正面、上面、ヒール側面図を示す。クラブヘッド１００は、単なる例示であり、本明細書に提示する実施形態に限定されない。クラブヘッド１００は、本明細書で明確に図示または説明していない、多くの異なる実施形態または例において使用することができる。
【００２６】
一般にクラブヘッド１００に関して、クラブヘッド１００は、ゴルフクラブヘッドを含むことができる。ゴルフクラブヘッドは、対応するゴルフクラブの一部とすることができる。さらに、ゴルフクラブヘッドは、１組のゴルフクラブヘッドの一部とすることができ、かつ／またはゴルフクラブは、１組のゴルフクラブの一部とすることができる。例えば、クラブヘッド１００は、任意の適切なウッドタイプゴルフクラブヘッド（例えばドライバクラブヘッド、フェアウェイウッドクラブヘッド、ハイブリッドクラブヘッドなど）を含むことができる。多くの実施形態では、クラブヘッド１００は、メタルウッドタイプゴルフクラブヘッドを含むことができるが、これらまたは他の実施形態では、クラブヘッド１００は、任意の適切な材料を、後述するある一定の材料強度条件を材料が満たすことを条件として、備えることができる。それにも関わらず、クラブヘッド１００については一般に、ウッドタイプゴルフクラブヘッドに関する実施の点で説明するが、クラブヘッド１００は、任意の他の適切なゴルフクラブヘッドタイプで実施することもできる。本明細書で説明する装置、方法、および製品は、この点について限定されない。
【００２７】
クラブヘッド１００は、上端部１０１、上端部１０１とは反対側の下端部１０２、前端部１０３、前端部１０３とは反対側の後端部１０４、トゥ端部１０５、およびトゥ端部１０５とは反対側のヒール端部１０６を備え、これらは、クラブヘッド１００の要素について論じるときに好都合な参照点となる。多くの実施形態では、クラブヘッド１００は、フェース１０７、クラウン１０８、ソール１０９、および／またはスカート（図示せず）を備えることができる。いくつかの実施形態では、ソール１０９は、スカートを備えることができる。また、クラブヘッド１００は、（ｉ）ホーゼルおよび／もしくはホーゼル移行部、または（ｉｉ）ボアのいずれかを備えることができる。それにも関わらず、いくつかの実施形態では、スカート、ホーゼル、ホーゼル移行部、およびボアのうちの１つまたは複数を省略することができる。
【００２８】
フェース１０７は、前端部１０３に位置することができる。一方、クラウン１０８は、少なくとも部分的に上端部１０１に位置することができ、例えばクラブヘッド１００のクラウン交差部１１１でなど、上端部１０１で、フェース１０７と界接することができる。さらに、ソール１０９は、少なくとも部分的に下端部１０２に位置することができ、例えばクラブヘッド１００のソール交差部１１２でなど、下端部１０２で、フェース１０７と界接することができる。多くの例では、クラウン交差部１１１および／またはソール交差部１１２は、曲線状または切り子面状であり、それぞれ、フェース１０７とクラウン１０８との間、および／またはフェース１０７とソール１０８との間の、平滑な（または実質的に平滑な）移行をもたらすことができる。これらの実施形態では、クラウン交差部１１１は、クラブヘッド１００のクラウン丸みを指すことができ、かつ／またはソール交差部１１２は、クラブヘッド１００の前縁丸みを指すことができる。他の実施形態では、クラウン交差部１１１および／またはソール交差部１１２は、角度が付いており、それぞれ、フェース１０７とクラウン１０８との間、および／またはフェース１０７とソール１０９との間の、急峻な移行をもたらすことができる。
【００２９】
スカートは、実装されたとき、クラウン１０８とソール１０９との間に位置することができ、トゥ端部１０５とヒール端部１０６との間に延在することができる。いくつかの実施形態では、スカートは、クラウン１０８とソール１０９との間を完全に回って、トゥ端部１０５で、かつ／またはヒール端部１０６でフェース１０７に至るまで延在することができ、一方、他の実施形態では、スカート面は、トゥ端部１０５で、かつ／またはヒール端部１０６でフェース１０７に至るまでのその全行程よりも、短く延在することができる。
【００３０】
いくつかの実施形態では、クラウン１０８とソール１０９が、例えば後端部１０４、トゥ端部１０５、および／またはヒール端部１０６などで、相互に界接することができる。しかし、例えばクラブヘッド１００がスカートを備え、スカートがトゥ端部１０５に位置するフェース１０７から、ヒール端部１０６に位置するフェース１０７まで延在するような他の実施形態では、クラウン１０８とソール１０９が、相互に界接することは全くできないが、スカートと界接することはできる。クラウン交差部１１１および／またはソール交差部１１２の場合と同様に、クラウン１０８とソール１０９の相互の界面および／またはスカートとの界面は、平滑および／または急峻とすることができる。さらに、適用可能な場合、スカートとフェース１０７との界面も、平滑および／または急峻とすることができる。
【００３１】
フェース１０７は、クラブヘッド１００の打撃フェースを指すことができ、例えばゴルフボールなどのボール（図示せず）に衝撃を与えるように構成されたフェース面を備えることができる。クラブヘッド１００および／またはフェース１０７のフェース面は、フェース中心を備えることができる。一方、フェース１０７のフェース面のフェース中心は、トゥ端部１０５とヒール端部１０６との間で等距離のところにあり、さらに上端部１０１と下端部１０２との間で等距離のところにある、フェース１０７のフェース面の位置を指すことができる。さまざまな例では、フェース中心は、参照により本明細書に組み込む、Ｕｎｉｔｅｄ  Ｓｔａｔｅｓ  Ｇｏｌｆ  Ａｓｓｏｃｉａｔｉｏｎ：  Ｐｒｏｃｅｄｕｒｅ  ｆｏｒ  Ｍｅａｓｕｒｉｎｇ  ｔｈｅ  Ｆｌｅｘｉｂｉｌｉｔｙ  ｏｆ  ａ  Ｇｏｌｆ  Ｃｌｕｂｈｅａｄ、ＵＳＧＡ−ＴＰＸ３００４、改訂版１．０．０、６ページ、２００８年５月１日（２０１３年９月１８日にｈｔｔｐ：／／ｗｗｗ．ｕｓｇａ．ｏｒｇ／ｅｑｕｉｐｍｅｎｔ／ｔｅｓｔｉｎｇ／ｐｒｏｔｏｃｏｌｓ／Ｔｅｓｔ−Ｐｒｏｔｏｃｏｌｓ−Ｆｏｒ−Ｅｑｕｉｐｍｅｎｔから取得）で定義されるフェース中心を指すことができる。多くの実施形態では、フェース１０７（および／または後述するフェース部１１３）が、１本または複数本のスコアリングライン（例えば溝）を備えることができる。スコアリングラインは、トゥ端部１０５とヒール端部１０６との間に延在することができる。
【００３２】
さらに、クラブヘッド１００は、ヒールトゥ軸および前後軸を備えることができる。クラブヘッド１００のヒールトゥ軸は、トゥ端部１０５とヒール端部１０６との間に延在する基準軸を指すことができ、クラブヘッド１００の前後軸は、前端部１０３と後端部１０４との間に延在する基準軸を指すことができる。クラブヘッド１００のヒールトゥ軸および前後軸は、相互にほぼ垂直とすることができ、クラブヘッド１００がアドレス配置に配置されたときに、地平面にほぼ平行とすることもできる。アドレス配置は、クラブヘッド１００が静止状態にある間に、クラブヘッド１００が（例えばゴルフクラブの一部としてのユーザによって）ゴルフボールにアドレスするように配置される、クラブヘッド１００の配置を指すことができる。他の実施形態では、アドレス配置は、クラブヘッド１００が水準面（例えば地表）上で、（例えばソール１０９にて）平衡が保たれ、重力のみの作用を受ける、クラブヘッド１００の配置を指すことができる。これらまたは他の実施形態では、クラブヘッド１００は、シャフトから分離することができる。
【００３３】
また、クラブヘッド１００は、ロフト平面を備えることができる。ロフト平面は、フェース１０７のフェース面のフェース中心と交差し、クラブヘッド１００がアドレス配置に配置されたときのフェース１０７とほぼ平行である、平面を指すことができる。フェース１０７が平面および／または実質的に平面であるとき、フェース１０７とロフト平面は、ほぼ共面であり得る。一方、フェース１０７が非平面（例えば曲面状）であるとき、ロフト平面は、フェース１０７のフェース中心に接してよく、フェース１０７の少なくとも一部が、ロフト平面の前または後ろに位置してよい。
【００３４】
クラブヘッド１００のホーゼルおよびホーゼル移行部、または適用可能な場合、クラブヘッド１００のボアは、ヒール端部１０６のところまたはそのすぐ近くに位置することができる。さまざまな実施形態では、クラブヘッド１００のボアの開口が、クラウン１０８のところまたはそのすぐ近くに位置することができる。さらに、ホーゼルポートが、ソール１０９にもしくはそのすぐ近くに、かつ／またはボアの開口もしくはホーゼルの開口とは反対側に位置することができる。クラブヘッド１００がホーゼルおよび／またはホーゼル移行部を備える実施形態では、ボアを省略することができ、逆も同様である。ホーゼルポートは、クラブヘッド１００のホーゼル、または適用可能な場合、クラブヘッド１００のボアと共に実装することができる。
【００３５】
一方、シャフトは図面に示していないが、クラブヘッド１００のホーゼル、または適用可能な場合、クラブヘッド１００のボアを、例えばゴルフクラブシャフトなどのシャフトを（すなわちホーゼルまたはボアの開口を通じて）受け入れるように構成することができる。したがって、ホーゼルまたはボアは、シャフトを受け入れることができ、ホーゼルまたはボアがシャフトを受け入れたときに、シャフトをクラブヘッド１００に（例えば永久にまたは取り外し可能に）結合できるようにすることが可能である。いくつかの実施形態では、ホーゼルまたはボアをさらに、シャフトをクラブヘッド１００に例えばねじ込み結合などを通じて結合させるように構成することができる。さらにまたはその代りに、かつ適用可能な場合、ボルトを実装して、シャフトをクラブヘッド１００に、ホーゼルまたはボアの開口とは反対側であって、ソール１０２に向かうホーゼルポートにて結合させることもできる。これらの実施形態では、シャフトは、ホーゼルまたはボアにて受け入れられると、クラブヘッド１００の中を通過して、ホーゼルポートに到達することができる。
【００３６】
クラブヘッド１００は、例えばクラブヘッド１００の製造業者を示すためなどの、１つまたは複数のブランドシンボルおよび／または他のシンボルを備えることができる。他の実施形態では、ブランドシンボルおよび／または他のシンボルを省略することができる。
【００３７】
いくつかの実施形態では、クラブヘッド１００は、フェース部１１３および支持本体１１４を備えることができる。以下で詳細に説明するように、フェース部１１３の１つまたは複数の特性（例えば材料特性）をそれらに対応する支持本体１１４の特性に対して、またその逆に、制限することによって、クラブヘッド１００のさまざまな利点をもたらすことができる。例えば、クラブヘッド１００は、フェース部１１３の材料特性（例えば降伏強度）が、対応する支持本体１１４の材料特性（例えば降伏強度）に対して（例えば最大比または最小比としての）所定の比の範囲内にほぼ制限されるように、構成することができる。
【００３８】
初めにフェース部１１３に焦点を当てると、フェース部１１３は、多数の実施形態に従って実装することができる。すなわち、フェース部１１３は、いくつかの実施形態では、フェース１０７の一部または全てを構成することができ、さらに、フェース部１１３がフェース１０７の全てを構成するときの実施形態のいくつかでは、クラウン１０８および／またはソール１０９の一部とすることもできる。
【００３９】
例えば、いくつかの実施形態では、フェース部１１３がフェース１０７を構成する。それらの実施形態のいくつかでは、フェース部１１３がフェース１０７である。しかし、上述したように、さらなる実施形態では、フェース部１１３は、例えばクラウンフェース部、ソールフェース部、および／または１つもしくは２つのスカートフェース部など、クラブヘッド１００のフェース１０７以外のものをさらに備えることができる。これらの実施形態では、適用可能な場合、クラウン１０８がクラウンフェース部を備え、ソール１０９がソールフェース部を備え、スカートがスカートフェース部を備える。スカートフェース部は、実装されたとき、トゥ端部スカートフェース部および／またはヒール端部スカートフェース部を備えることができる。一般に、フェース部１１３は、スカートフェース部が実装され、スカートがクラウン１０８とソール１０９との間を完全に回って、トゥ端部１０５で、かつ／またはヒール端部１０６でフェース１０７に至るまで延在するとき、スカートフェース部を備えることができる。他の実施形態では、例えば、フェース部１１３がフェース１０７であり、かつ／または後述するように、フェース部１１３がフェースインサート１１７を備える場合など、クラウンフェース部、ソールフェース部、および／またはスカートフェース部を省略することができる。一般に、クラウンフェース部および／またはソールフェース部が実装することができても、スカートが、クラウン１０８とソール１０９との間を、完全に回ってトゥ端部１０５でかつ／またはヒール端部１０６でフェース１０７に至るよりは短いが、延在し、それにより、フェース１０７と界接しないとき、スカートフェース部は省略することができる。換言すれば、クラウンフェース部、ソールフェース部、および／またはスカートフェース部の実装は、フェース１０７、クラウン１０８、ソール１０９、および／またはスカートが実装されるかどうか、またその実装される様式に依存し得る。いくつかの実施形態では、フェース部１１３が、クラウンフェース部およびソールフェース部（および適用可能な場合、スカートフェース部）を備える場合、フェース部１１３はカップ状を成すことができる。
【００４０】
図１に示すように、多くの実施形態では、フェース部１１３がフェースインサート１１７を備えることができる。これらの実施形態では、フェース１０７は、フェース部１１３および／またはフェースインサート１１７を備えることができる。フェース部１１３がフェースインサート１１７を備える場合、フェースインサート１１７は、クラブヘッド１００の打撃プレートを備えることができる。したがって、フェース部１１３がフェースインサート１１７に限定される場合、フェース部１１３は、フェース１０７の一部だけを構成することができる。
【００４１】
一方、これらの実施形態では、支持本体１１４も、フェース支持本体１１８を備えることができ、フェース支持本体１１８は、フェース１０７の残りの部分を構成することができる。いくつかの実施形態では、フェース支持本体１１８は、フェース支持本体上部１１９および／もしくはフェース支持本体下部１２０を備えることができ、かつ／またはフェースインサート１１７が実装される様式（例えばフェースインサート１１７の形状および／もしくはサイズ）に応じて、１つもしくは複数の他の部分を備えることができる。これらの実施形態では、適用可能な場合、フェース支持本体上部１１９、フェース支持本体下部１２０などが、同様に、フェースインサート１１７が実装される様式に応じて、相互に連続でもよく、不連続でもよい。とりわけ、多くの実施形態では、フェース支持本体１１８が、フェースインサート１１７の周縁部１２３を完全に取り囲み、それにより、フェースインサート１１７の周りで完全に連続している。しかし、他の実施形態では、例えば、フェース部１１３が、フェースインサート１１７を備えないように実装される場合など、フェース支持本体１１８、フェース支持本体上部１１９、および／またはフェース支持本体下部１２０を省略することができる。
【００４２】
フェースインサート１１７は、前面１２１、前面１２１とは反対側の後面２２２（図２）、および周縁部１２３を備えることができる。一方、これらの実施形態では、フェース支持本体１１８は、前面１２４、前面１２４とは反対側の後面２２５（図２）、および周縁部１２６を備えることができる。
【００４３】
これらの実施形態では、フェース支持本体上部１１９も、前面１２７、前面１２７とは反対側の後面２２８（図２）、および周縁部１２９を備えることができ、かつ／またはフェース支持本体下部１２０も、前面１３０、前面１３０とは反対側の後面２３１（図２）、および周縁部１３２を備えることができる。一方、フェース支持本体１１８の前面１２４は、前面１２７および／または前面１３０を備えることができ、フェース支持本体１１８の後面２２５（図２）は、後面２２８（図２）および／または後面２３１（図２）を備えることができ、フェース支持本体１１８の周縁部１２６は、周縁部１２９および／または周縁部１３２を備えることができる。
【００４４】
ここで、支持本体１１４に焦点を移すと、多くの実施形態では、支持本体１１４は、クラウン支持本体１１５、ソール支持本体１１６、および／またはスカート支持本体を備えることができる。これらの実施形態では、クラウン１０８がクラウン支持本体１１５を備え、ソール１０９がソール支持本体１１６を備え、かつ／またはスカートがスカート支持本体を備える。いくつかの実施形態では、例えば、クラウンフェース部、ソールフェース部、および／またはスカートフェース部がそれぞれ、省略される場合など、クラウン支持本体１１５がクラウン１０８であり、ソール支持本体１１６がソール１０９であり、かつ／またはスカート支持本体がスカートである。
【００４５】
クラブヘッド１００は、中実、中空、または部分的に中空とすることができる。クラブヘッド１００が中空または部分的に中空であるとき、支持本体１１４は、支持シェルを備えることができる。後述するように、支持シェルがフェース部１１３に結合されると、フェース部１１３と支持シェルが、クラブヘッド１００の空所をもたらして、その空所を囲む、または実質的に囲むことができる。いくつかの実施形態では、空所は空（から）でよいが、他の実施形態では、空所は、フェース部１１３および／または支持シェルの材料とは異なる充填材料で充填および／または部分的に充填することができる。例えば、充填材料は、プラスチックフォームを含むことができる。
【００４６】
多くの実施形態では、フェース部１１３を支持本体１１４に結合させることができる。フェース部１１３は支持本体１１４に、（例えば１つもしくは複数の結合機構を通じて、かつ／もしくは摩擦嵌めなどを通じて）機械的に、または（例えば溶接を通じた、圧着を通じた、ろう付けを通じた、はんだ付けを通じた、かつ／もしくは接着剤を通じた、などの）接合によって、あるいはその両方で、結合させることができる。
【００４７】
フェース部１１３がフェース１０７である場合、フェース部１１３は、支持本体１１４に、クラウン交差部１１１、ソール交差部１１２、および／または適用可能な場合、スカートの交差部で、フェース１０７と結合させることができる。一方、フェース部１１３が、クラウンフェース部、ソールフェース部、および／またはスカートフェース部を備える（すなわちフェース部１１３がフェース１０７以外のものをさらに備える）場合、フェース部１１３は、クラウンフェース部、ソールフェース部、および／またはスカートフェース部の、それぞれクラウン支持本体１１５、ソール支持本体１１６、および／またはスカート支持本体との交差部で、支持本体１１４に結合させ得る。さらに、フェース部１１３がフェースインサート１１７を備えるとき、フェース部１１３の周縁部１２３は、支持本体１１４の周縁部１２６に結合され得る。前述の内容は、フェース部１１３と支持本体１１４との間の界面が、一様（例えば平坦）であることを示唆し得るが、いくつかの実施形態では、フェース部１１３は、支持本体１１４が１つまたは複数の本体部（例えばクラウン支持本体１１５、ソール支持本体１１６、および／またはスカート支持本体など）を備えるのと同じ実施形態において、１つまたは複数のフェース部（例えばクラウンフェース部、ソールフェース部、および／またはスカートフェース部など）を備えることができ、したがって、フェース部１１３と支持本体１１４との間の界面は、非一様（例えば非平坦）となり得る。
【００４８】
一方、フェース部１１３がフェースインサート１１７を備える場合、周縁部１２３は、形状の点で周縁部１２６に実質的に対応していてよい。しかしながら、周縁部１２３および周縁部１２６の形状は、任意の適切な形状とすることができる。形状は、規則的でもよく、不規則でもよい。具体的な例では、形状は、（例えばほぼ）円形、楕円形、または多角形とすることができる。多くの実施形態では、形状は、横長とすることができ、長軸および短軸を備えることができる。一般に、長軸は、任意の適切な様式で配向することができるが、多くの実施形態では、長軸は、フェース１０７のフェース面のフェース中心と交差することができる。さらに、長軸は、クラブヘッド１００のヒールトゥ軸とほぼ平行に、または直交して配向することができる。しかし、さらに他の実施形態では、長軸は、クラブヘッド１００のヒールトゥ軸に対してある角度（例えば余角）で配向することができる。
【００４９】
前述したように、クラブヘッド１００の重心および慣性モーメントは、クラブヘッド１００の質量分布の関数である。フェース１０７および／またはフェース部１１３の厚さ（すなわちフェース１０７および／またはフェース部１１３の質量）を低減させることによって、さらなる質量を、クラブヘッド１００のどこか他の場所に分布させることができる。例えば、フェース１０７および／またはフェース部１１３の質量節減分を、ソール１０９のより近くに、フェース１０７からより遠くに、かつ／またはトゥ端部１０５および／もしくはヒール端部１０６のより近くに分布させ、それにより、クラブヘッド１００の重心および／または慣性モーメントを変更することができる。一方、クラブヘッド１００のそのような質量を、ソール１０９のより近くに、かつ／またはフェース１０７からより遠くに分布させると、クラブヘッド１００で打撃したゴルフボールの飛行角度を増大させることができ、ゴルフボールの飛行角度を増大させると、インパクト後にゴルフボールが移動する距離を増大させることができる。さらに、フェース１０７および／またはフェース部１１３の質量節減分を、トゥ端部１０５および／またはヒール端部１０６のより近くになるように分布させると、クラブヘッド１００の慣性モーメントに影響を及ぼすことができ、それにより、クラブヘッド１００の寛容性を変化させることができる。
【００５０】
同様に、クラブヘッド１００の反発係数は、少なくとも、フェース１０７および／またはフェース部１１３の可撓性の関数となり得る。フェース１０７および／またはフェース部１１３の厚さを低減させることによって、フェース１０７および／またはフェース部１１３の可撓性を増大させ、それにより、クラブヘッド１００の反発係数を増大させることができる。クラブヘッド１００の反発係数を増大させると、インパクト後にゴルフボールが移動する距離を増大させることができる。
【００５１】
したがって、フェース１０７および／またはフェース部１１３の厚さを低減させると、クラブヘッド１００の性能が有利に改善し得ることが分かる。しかし、実際には、フェース１０７および／またはフェース部１１３の厚さを低減させることのできる程度は、フェース１０７および／またはフェース部１１３の耐久性によって制約されることがある。具体的には、フェース１０７および／またはフェース部１１３の厚さが低減される場合、耐久性も減少され得る。一方、耐久性が不十分になる結果、クラブヘッド１００の塑性変形、ひび割れ、および破損が生じるおそれがある。
【００５２】
フェース１０７および／またはフェース部１１３の厚さを低減させることによる耐久性の減少の埋め合わせをするために、取り得る１つの解決策は、クラブヘッド１００、フェース１０７、および／またはフェース部１１３の強度（例えば降伏強度、極限強度など）を増大させるというものである。具体的には、クラブヘッド１００、フェース１０７、および／またはフェース部１１３の強度（例えば降伏強度、極限強度など）を増大させると、クラブヘッド１００の塑性変形、ひび割れ、および破損が生じることなく、フェース１０７および／またはフェース部１１３の厚さのさらなる低減が可能になり得る。実装の際には、クラブヘッド１００、フェース１０７、および／またはフェース部１１３の強度（例えば降伏強度、極限強度など）の増大を、材料選択、熱処理、および／または他の製造条件を通じて達成することができる。しかし、実際には、クラブヘッド１００の全てに、より高い強度（例えば降伏強度、極限強度など）の材料を使用することは、材料コストおよび／または製造コストのため、現実的ではない場合がある。したがって、例えば材料コストおよび／または製造コストを低減させるためなど、より高い強度（例えば降伏強度、極限強度など）の材料を、フェース１０７および／またはフェース部１１３のみに使用すると同時に、（例えばより低い強度をもつ）別の材料を、クラブヘッド１００の残りの部分（例えば支持本体１１４）の一部または全てに使用することが望ましい場合がある。それにも関わらず、より高い強度の材料と他の材料との、あまりにも大きな強度（例えば降伏強度、極限強度など）の差がある場合、フェース部１１３が支持本体１１４に結合および／または移行する場所に、ピーク応力が現れることがある。こうしたピーク応力もやはり、少なくとも繰り返し使用した場合に、クラブヘッド１００の塑性変形、ひび割れ、および破損を招き得る。
【００５３】
より高い強度の材料と他の材料との間の、強度（例えば降伏強度、極限強度など）のギャップを埋めるための、取り得る１つの解決策は、フェース部１１３が支持本体１１４に結合および／または移行する場所でクラブヘッド１００を厚化し、かつ／またはその場所に補強構造（例えばリブ）を実装するというものである。フェース部１１３が支持本体１１４に結合および／または移行する場所でクラブヘッド１００を厚化し、かつ／またはその場所に補強構造（例えばリブ）を実装すると、応力がより大きな領域にわたって分散し、他の材料が降伏することが妨げられ得る。取り得る別の解決策は、より高い強度の材料と他の材料との強度（例えば降伏強度、極限強度など）の差を制約するというものである。フェース部１１３が支持本体１１４に結合および／または移行する場所でクラブヘッド１００を厚化し、かつ／またはその場所に補強構造（例えばリブ）を実装する結果、質量をクラブヘッド１００のどこか他の場所に分布させることができる可能性が減少するため、後者の解決策は、前者の解決策に比べて有利となり得る。実際、フェース部１１３が支持本体１１４に結合および／または移行する場所でクラブヘッド１００を厚化し、かつ／またはその場所に補強構造（例えばリブ）を実装すると、フェース１０７および／またはフェース部１１３を薄化することによって節減された他の質量が相殺される可能性がある。したがって、後者の手法は、フェース部１１３が支持本体１１４に結合および／または移行するクラブヘッド１００の領域が必要とする質量がより少なくなり得るので、クラブヘッド１００の重心および慣性モーメントを最適化することのできる可能性の向上を可能にすることができる。さらに、フェース部１１３が支持本体１１４に結合および／または移行する場所でクラブヘッド１００を厚化せず、かつ／またはその場所に補強構造（例えばリブ）を実装しないことによって、フェース１０７および／またはフェース部１１３の可撓性が、より大きくなり得る。
【００５４】
したがって、フェース部１１３が第１の材料を備えることができ、支持本体１１４が第２の材料を備えることができる。第１の材料は、第１の材料の硬度、降伏強度、および／または極限強度を備えることができ、第２の材料は、第２の材料の硬度、降伏強度、および／または極限強度を備えることができる。多くの実施形態では、第１の材料は、第２の材料とは異なっていてよい。同様に、第１の材料の降伏強度および／または極限強度はそれぞれ、第２の材料の降伏強度および／または極限強度と異なっていてよい。
【００５５】
多くの実施形態では、第１の材料の降伏強度は、約９１０．０メガパスカル以上、１０３４メガパスカル以上、１２４２メガパスカル以上、１３７８メガパスカル以上、または１７２０メガパスカル以上とすることができる。これらの実施形態のいくつかでは、または他の実施形態では、第１の材料の降伏強度は、約１１３８メガパスカル以下、１２４２メガパスカル以下、または１７２０メガパスカル以下とすることができる。いくつかの特定の実施形態では、第１の材料の降伏強度は、約１１７２メガパスカルまたは１６５５メガパスカルとすることができる。
【００５６】
いくつかの実施形態では、第１の材料の極限強度は、約１０３４メガパスカル以上もしくは１７７０メガパスカル以上とすることができ、かつ／または、約１２７５メガパスカル以下もしくは２１７２メガパスカル以下とすることができる。いくつかの特定の実施形態では、この極限強度は、約１７２４メガパスカル、１８９６メガパスカル、または１９７９メガパスカルとすることができる。
【００５７】
いくつかの実施形態では、第２の材料の降伏強度は、約１１０３メガパスカル以上とすることができる。さらに、第２の材料の極限強度は、約１２７６メガパスカル以上とすることができる。
【００５８】
多くの実施形態では、第２の材料の降伏強度は、約２７５メガパスカル以上、３４４メガパスカル以上、５５１メガパスカル以上、６８９メガパスカル以上、７５８メガパスカル以上、または７９２メガパスカル以上とすることができる。これらの実施形態のいくつかでは、または他の実施形態では、第２の材料の降伏強度は、約３１０メガパスカル以下、４１４メガパスカル以下、７５９メガパスカル以下、８２８メガパスカル以下、８６２メガパスカル以下、または８９７メガパスカル以下とすることができる。
【００５９】
一方、先に上で紹介したように、第１の材料の１つまたは複数の特性をそれらの対応する第２の材料の特性に対して、またその逆に、制限することができる。例えば、多くの実施形態では、第２の材料の降伏強度と第１の材料の降伏強度の降伏強度比は、約０．５０以上とすることができる。いくつかの実施形態では、この降伏強度比は、約０．６３以上とすることができる。これらまたは他の実施形態では、第２の材料の極限強度と第１の材料の極限強度の極限強度比は、約０．５０以上とすることができる。いくつかの実施形態では、この極限強度比は、約０．６３以上とすることができる。さらなる実施形態では、極限強度は、約０．７４以上とすることができる。これらの実施形態では、提供される例示的な降伏強度および／または極限強度は、降伏強度比および／または極限強度比に従う。
【００６０】
他の実施形態では、第１の材料の硬度は、約５０ロックウェル硬さスケールＣ（ＨＲＣ）以上とすることができ、かつ／または約５６ＨＲＣ以下とすることができる。いくつかの実施形態では、硬度は、約５２．５ＨＲＣまたは５３．５ＨＲＣとすることができる。
【００６１】
多くの実施形態では、第１の材料は、鉄および／またはチタンを含むことができる。いくつかの実施形態では、第１の材料は、鉄合金および／またはチタン合金を含むことができる。具体的な例では、第１の材料は、カーペンターグレード４５５鋼および／またはカーペンターグレード４７５鋼を含むことができる。他の具体的な例では、第１の材料は、Ｔｉ  ＳＳＡＴ２０４１チタン合金、Ｔｉ  ＳＰ７００チタン合金、Ｔｉ  １５−０−３チタン合金、Ｔｉ  １５−５−３チタン合金、もしくはＴｉ−９チタン合金、またはそれらの任意の組合せを含むことができる。
【００６２】
多くの実施形態では、第２の材料は、鉄および／またはチタンを含むことができる。いくつかの実施形態では、第２の材料は、鉄合金および／またはチタン合金を含むことができる。具体的な例では、第２の材料は、熱処理した１７−４ステンレス鋼、４３１ＳＳ鋼、８６２０鋼、１０２０鋼、または１０２５鋼を含むことができる。他の具体的な例では、第２の材料は、Ｔｉ  ６−４チタン合金、Ｔｉ  ８１１チタン合金、もしくはＴｉ  ９Ｓチタン合金、またはそれらの任意の組合せを含むことができる。
【００６３】
多くの実施形態では、フェース部１１３のフェース中心でのフェース部１１３の厚さは、約０．１９０５センチメートル以下、０．２５４０センチメートル以下、０．２７９４センチメートル以下、０．３５５６センチメートル以下、または０．３６８３センチメートル以下とすることができる。これらの実施形態のいくつかでは、この厚さは、約、０．１１４３センチメートル以上、０．１２７０センチメートル以上、０．１８２８センチメートル以上、または０．１９０５センチメートル以上とすることができる。
【００６４】
多くの実施形態では、フェース部１１３は、基本的に第１の材料で構成され得る。これらの実施形態では、第１の材料は、フェース部１１３の体積の少なくとも９０％、９５％、または９８％の割合を占めることができる。これらまたは他の実施形態では、第１の材料は、フェース部１１３の強度（例えば降伏強度および／または極限強度）の重み付き平均の少なくとも９０％、９５％、または９８％に寄与し反映することができる。
【００６５】
多くの実施形態では、支持本体１１４は、基本的に第２の材料で構成され得る。これらの実施形態では、第２の材料は、支持本体１１４の体積の少なくとも９０％、９５％、または９８％の割合を占めることができる。これらまたは他の実施形態では、第２の材料は、支持本体１１４の強度（例えば降伏強度および／または極限強度）の重み付き平均の少なくとも９０％、９５％、または９８％に寄与し反映することができる。
【００６６】
いくつかの実施形態では、クラウン１０８および／またはクラウン支持本体１１５は、基本的に第２の材料で構成され得る。これらの実施形態では、第２の材料は、それぞれ、クラウン１０８および／またはクラウン支持本体１１５の体積の少なくとも９０％、９５％、または９８％の割合を占めることができる。これらまたは他の実施形態では、第２の材料は、それぞれ、クラウン１０８および／またはクラウン支持本体１１５の強度（例えば降伏強度および／または極限強度）の重み付き平均の少なくとも９０％、９５％、または９８％に寄与し反映することができる。
【００６７】
いくつかの実施形態では、ソール１０９および／またはソール支持本体１１６は、基本的に第２の材料で構成され得る。これらの実施形態では、第２の材料は、それぞれ、ソール１０９および／またはソール支持本体１１６の体積の少なくとも９０％、９５％、または９８％の割合を占めることができる。これらまたは他の実施形態では、第２の材料は、それぞれ、ソール１０９および／またはソール支持本体１１６の強度（例えば降伏強度および／または極限強度）の重み付き平均の少なくとも９０％、９５％、または９８％に寄与し反映することができる。
【００６８】
とりわけ、クラブヘッド１００は、例えば材料被覆、おもり、装飾など、フェース部１１３および支持本体１１４以外の要素を備えることがある。したがって、フェース部１１３が基本的に第１の材料で構成され、かつ／または支持本体１１３、クラウン１０８、クラウン支持本体１１５、ソール１０９、および／もしくはソール支持本体１１６が基本的に第２の材料で構成される実施形態についての先の議論は、いくつかの実施形態において、クラブヘッド１００の構造的完全性に実質的に寄与しないクラブヘッド１００の要素は、本明細書で企図される概念から排除できるということを明らかにするものである。
【００６９】
さらに、いくつかの実施形態では、支持本体１１４の全てが第２の材料を備えることが必要であるとは限らない場合がある。これらの実施形態では、支持本体１１４の一部だけが第２の材料を備えていれば十分な場合がある。例えば、支持本体１１４が第２の材料を、クラブヘッド１００のロフト平面および／またはクラブヘッド１００のフェース部１１３が支持本体１１４に結合および／または移行する領域から、ある一定の距離離れた範囲内に備えていれば十分な場合がある。例えば、支持本体１１４は、第２の材料を、クラブヘッド１００のロフト平面および／またはクラブヘッド１００のフェース部１１３が支持本体１１４に結合および／または移行する領域の０．２０センチメートル、０．３０センチメートル、または０．４０センチメートル以内にある場所に備えることができる。この距離は、クラブヘッド１００の前後軸に平行な方向に測定することができる。
【００７０】
さらに、前述の内容は一般に、フェース部１１３と支持本体１１４の強度比を制約することについて論じているが、これらの概念は、例えばクラウン１０８がクラブヘッド１００の残りの部分に結合され、かつ／またはソール１０９がクラブヘッド１００の残りの部分に結合されるような、他の実施形態にも適用することができる。これらの実施形態では、クラウン１０８またはソール１０９を、クラブヘッド１００の残りの部分に比べて高い強度の材料で実装することができる。しかし、一般には、これらの概念を、フェース部１１３が支持本体１１４に結合される実施形態に適用するほうが、フェース部１１３がクラウン１０８および／またはソール１０９よりも多くの衝撃応力を受ける可能性があるという観点からより有利となり得る。それにも関わらず、これらの概念の１つを、クラブヘッド１００がフェースプル（ｆａｃｅ  ｐｕｌｌ）手法とは対照的にクラウンプル（ｃｒｏｗｎ  ｐｕｌｌ）またはソールプル（ｓｏｌｅ  ｐｕｌｌ）手法に従って製造される場合に、これらの他の実施形態において適用することが望ましい場合がある。
【００７１】
図２は、図１の実施形態による、フェースインサート１１７の周縁１２３がフェース支持本体１１８の周縁１２６から分離された場合のクラブヘッド１００を示す。とりわけ図２は、一部には、後面２２２、２２５、２２８、および２３１の視覚的な関係を示すことを意図したものである。
【００７２】
一方、図３〜図５は、クラブヘッド１００を他の視点から示す。具体的には、図３は、図１の実施形態による、クラブヘッド１００の正面図を示し、図４は、図１の実施形態による、クラブヘッド１００のトゥ側面図を示し、図５は、図１の実施形態による、クラブヘッド１００の正面、底面、ヒール側面図を示す。
【００７３】
図面において先に移ると、図６は、ゴルフクラブヘッドを製造する方法６００の一実施形態のフローチャートを示す。方法６００は、単なる例示であり、本明細書に提示する実施形態に限定されない。方法６００は、本明細書で明確に図示または説明していない、多くの異なる実施形態または例において使用することができる。いくつかの実施形態では、方法６００の作業、手順、および／またはプロセスを、提示した順序で実施することができる。他の実施形態では、方法６００の作業、手順、および／またはプロセスを、任意の他の適切な順序で実施することができる。さらに他の実施形態では、方法６００における作業、手順、および／またはプロセスのうちの１つまたは複数を、組み合わせてもよく、スキップしてもよい。多くの実施形態では、クラブヘッドは、クラブヘッド１００（図１〜図５）に類似していてもよく、それと同一でもよい。
【００７４】
方法６００は、フェース部を準備する作業６０１を含むことができる。フェース部は、フェース部１１３（図１〜図５）に類似していてもよく、それと同一でもよい。図７は、例示的作業６０１を示す。
【００７５】
作業６０１は、第１の材料を準備する作業７０１を含むことができる。第１の材料は、上でクラブヘッド１００（図１〜図５）に関して説明した第１の材料に類似していてもよく、それと同一でもよい。
【００７６】
多くの実施形態では、作業６０１は、フェースインサートを準備する作業７０２も含むことができる。フェースインサートは、フェースインサート１１７（図１および図２）に類似していてもよく、それと同一でもよい。いくつかの実施形態では、作業７０２を省略することができる。
【００７７】
いくつかの実施形態では、作業６０１はさらに、第１の材料からフェース部を鋳造する作業７０３を含むことができる。
【００７８】
他の実施形態では、作業６０１は、第１の材料からフェース部を形成する作業７０４を含むことができる。多くの実施形態では、作業７０４が実施されるとき、作業７０３は省略することができ、逆も同様である。
【００７９】
図６を再度参照すると、方法６００は、支持本体を準備する作業６０２を含むことができる。支持本体は、支持本体１１４（図１〜図５）に類似していてもよく、それと同一でもよい。図８は、例示的作業６０２を示す。
【００８０】
作業６０２は、第２の材料を準備する作業８０１を含むことができる。第２の材料は、上でクラブヘッド１００（図１〜図５）に関して説明した第２の材料に類似していてもよく、それと同一でもよい。
【００８１】
作業６０２は、第２の材料からフェース部を鋳造する作業８０２も含むことができる。
【００８２】
作業６０２は、第２の材料からフェース部を形成する作業８０３を含むことができる。多くの実施形態では、作業８０３が実施されるとき、作業８０２は省略することができ、逆も同様である。
【００８３】
図６を再度参照すると、方法６００は、フェース部を支持本体に結合させる作業６０３を含むことができる。作業６０３の実施は、フェース部を支持本体に、例えば、上でクラブヘッド１００（図１〜図５）に関して示したような、任意の適切な様式で結合させることを含むことができる。多くの実施形態では、作業６０３の実施は、フェース部を支持本体に溶接することを含むことができる。
【００８４】
他の実施形態は、（１）クラウンを準備すること、およびゴルフクラブヘッドの残りの部分を準備することを含む、ゴルフクラブヘッドを製造する方法、ならびに／または（２）ソールを準備すること、およびゴルフクラブヘッドの残りの部分を用意することを含む、ゴルフクラブヘッドを製造する方法、を含むことができる。これらの実施形態は、より高い強度（例えば降伏強度および／または極限強度）のクラウンまたはソールに関してではあるが、方法６００に類似していてよい。
【００８５】
以上、本明細書のゴルフクラブヘッドおよび関連方法について、特定の実施形態に即して説明してきたが、本開示の趣旨または範囲から逸脱することなく、さまざまな変更を加えることができる。例えば、図６の作業６０１〜６０３、図７の作業７０１〜７０４、および／または図８の作業８０１〜８０３を、多くの異なる手順、プロセス、および作業から構成することができ、多くの異なるモジュールによって、多くの異なる順序で実施することができること、図１〜図８の任意の要素を修正できること、ならびにこれらの実施形態のうちのいくつかについての先の議論が、必ずしも可能なあらゆる実施形態の完全な説明になっているとは限らないことが、当業者には容易に明らかとなるであろう。
【００８６】
さらに、上の例は、ウッドタイプゴルフクラブヘッドに関連して説明されていることがあるが、本明細書で説明する装置、方法、および製品は、アイアンタイプゴルフクラブ、ウェッジタイプゴルフクラブ、パタータイプゴルフクラブなど、他のタイプのゴルフクラブに適用可能であり得る。あるいは、本明細書で説明する装置、方法、および製品は、ホッケースティック、テニスラケット、釣り竿、スキーストックなどのような、適用可能な他のタイプのスポーツ用品とすることもできる。
【００８７】
そのような変更および他の、さらなる例を、先の説明の中で挙げてきた。さまざまな図の特徴のうちの１つまたは複数を有する異なる実施形態の、他の置換も同様に企図される。したがって、本明細書の明細書、特許請求の範囲、および図面は、本開示の範囲を例示することを意図したものであり、限定することを意図したものではない。本出願の範囲は、添付の特許請求の範囲によって求められる範囲にのみ限定されることが意図される。
【００８８】
本明細書で論じたクラブヘッドおよび関連方法は、さまざまな実施形態において実施することができ、これらの実施形態のうちのいくつかについての先の議論は、必ずしも可能なあらゆる実施形態の完全な説明になっているとは限らない。そうではなく、図面の詳細な説明および図面自体が、少なくとも１つの好ましい実施形態を開示しており、代替実施形態を開示していることもある。
【００８９】
任意の特定の請求項において述べられている全ての要素は、その特定の請求項において述べられている実施形態にとって不可欠である。したがって、１つまたは複数の要素の置き換えは、修理ではなく再構成となる。さらに、利益、他の利点、および問題に対する解決策について、特定の実施形態に関して説明してきた。しかし、利益、利点、問題に対する解決策、および任意の利益、利点、もしくは解決策を生じさせ、またはより顕著にさせることのできる任意の１つまたは複数の要素を、請求項のうちのいずれかまたは全ての決定的に重要な、必要な、または不可欠な特徴または要素であると解釈することは、そのような利益、利点、解決策、または要素がそのような請求項において明記されていない限り、すべきはでない。
【００９０】
ゴルフのルールは時々変わることがある（例えば、全米ゴルフ協会（ＵＳＧＡ）、ロイヤルアンドエンシェントゴルフクラブオブセントアンドリュース（Ｒ＆Ａ）などのような、ゴルフの標準化組織および／または運営団体によって、新たな規定が採用されることもあり、古いルールが廃止または修正されることもある）ので、本明細書で説明する装置、方法、および製品に関連するゴルフ用品は、任意の特定の時点のゴルフのルールに準拠していることもあり、準拠していないこともある。したがって、本明細書で説明する装置、方法、および製品に関連するゴルフ用品は、準拠している、または準拠していないゴルフ用品として宣伝され、売りに出され、かつ／または販売されることがある。本明細書で説明する装置、方法、および製品は、この点について限定されない。
【００９１】
さらに、本明細書で開示する実施形態および限定事項は、実施形態および／または限定事項が、（１）特許請求の範囲において明示的に述べられておらず、かつ（２）均等論の下で、特許請求の範囲における明示的な要素および／もしくは限定事項の均等物であり、または潜在的な均等物である場合、公有の原則（ｄｏｃｔｒｉｎｅ  ｏｆ  ｄｅｄｉｃａｔｉｏｎ）の下で公に供されることはない。
【図１】
2016536068.tif 000003
【図２】
2016536068.tif 000004
【図３】
2016536068.tif 000005
【図４】
2016536068.tif 000006
【図５】
2016536068.tif 000007
【図６】
2016536068.tif 000008
【図７】
2016536068.tif 000009
【図８】
2016536068.tif 000010
【国際調査報告】
2016536068.tif 000011
2016536068.tif 000012
2016536068.tif 000013